(57)【特許請求の範囲】
【請求項１】
近接する複数の発光点からの波長の異なるレーザ光を単一のコリメートレンズにより略平行光とし、この略平行光をグレーティング（若しくはホログラム）及びミラー及び対物レンズを介して光情報記録媒体上に微小なスポットを形成する光ピックアップ装置において、前記複数の発光点からの波長の異なるレーザ光を
前記単一のコリメートレンズ及び前記グレーティング（若しくはホログラム）及び前記ミラーを介した後
前記対物レンズに略垂直に入射させるように前記グレーティング（若しくはホログラム）のピッチ及び入射角度を設定し、
前記グレーティング（若しくはホログラム）と前記コリメートレンズとの距離と、前記コリメートレンズと前記複数の発光点との距離を前記コリメートレンズの焦点距離とし、前記グレーティング（若しくはホログラム）による光の回折方向が、前記対物レンズから離れる方向であることを特徴とする光ピックアップ装置。
【発明の詳細な説明】
【０００１】
【発明の属する技術分野】
本発明は光ディスク装置、光カード装置、光テープ装置などに用いられる光ピックアップ装置に関する。
【０００２】
【従来の技術】
ＤＶＤ（ディジタルビデオディスク）とＣＤ（コンパクトディスク）とのいずれでも情報の再生を可能にするために光ディスク装置に搭載される光ピックアップ装置として、ＤＶＤ用の短波長レーザ（波長約６５０ｎｍのレーザ）とＣＤ用のレーザ（波長約７８０ｎｍのレーザ）との２種類の波長のレーザを使い分けて光ディスクとしてのＤＶＤ、ＣＤから情報の再生を行う２波長対応光ピックアップ装置が知られている。
【０００３】
この２波長対応光ピックアップ装置において、ＤＶＤ、ＣＤのそれぞれから情報を再生するための部品のうち、波長の異なる２個のレーザとホログラム、受光素子を集積化したものの一例が特開平１１−１４９６５２号公報に記載されている。図２は特開平１１−１４９６５２号公報に記載されているような２波長対応集積ユニットを用いた光ピックアップ装置の一例を示す。
【０００４】
図２において、２波長対応集積ユニット１は、ＣＤ用のレーザ２とＤＶＤ用の短波長レーザ３及び図示しないホログラム、受光素子等から構成されている。ＣＤ用のレーザ２からの光束は、コリメートレンズ４で略平行光となり、ミラー５により反射されて対物レンズ６により図示しないＣＤに照射される。一方、ＤＶＤ用の短波長レーザ３からの光束は、コリメートレンズ４により略平行光となり、ミラー５により反射されて対物レンズ６により図示しないＤＶＤに照射される。
【０００５】
【発明が解決しようとする課題】
図２に示すような光ピックアップ装置では、ＣＤ用のレーザ２とＤＶＤ用の短波長レーザ３の各発光点は物理的に離れているので、ＣＤ用のレーザ２とＤＶＤ用の短波長レーザ３からの各光束の光軸はある角度を持ってしまう。例えばＣＤ用のレーザ２とＤＶＤ用の短波長レーザ３の各発光点間の距離が０．５ｍｍ、コリメートレンズ４の焦点距離が１５ｍｍである場合には、ＣＤ用のレーザ２とＤＶＤ用の短波長レーザ３からの各光束の光軸間の角度をθとすると、ＳＩＮθ＝０．５／１５よりθ＝１.９°となる。
【０００６】
つまり、ＣＤ用のレーザ２からの光束がコリメートレンズ４、対物レンズ６に０°で入射する場合、ＤＶＤ用の短波長レーザ３からの光束はコリメートレンズ４、対物レンズ６に１．９°で入射してしまい、特に対物レンズ６で大きな収差が発生するという不具合が生じる。また、ＤＶＤ用の短波長レーザ３からの光束は、対物レンズ６の中心から大きくずれてしまい、対物レンズ６全体に光が入射しない場合もある。また、２波長対応集積ユニット１に対して、ミラー５及び対物レンズ６の部分は例えばｄだけ上方にずれてしまい、光ピックアップ装置の薄型化の障害となっている。
【０００７】
本発明は、各レーザからの光束の間の光軸の角度差によって発生する不具合を改善することができ、安価なグレーティングを用いることが可能である光ピックアップ装置を提供することを目的とする。
【０００８】
本発明は、光利用効率を改善することが可能でである光ピックアップ装置を提供することを目的とする。
本発明は、薄型にできる光ピックアップ装置を提供することを目的とする。
【０００９】
【課題を解決するための手段】
上記目的を達成するため、請求項１に係る発明は、近接する複数の発光点からの波長の異なるレーザ光を単一のコリメートレンズにより略平行光とし、この略平行光をグレーティング（若しくはホログラム）及びミラー及び対物レンズを介して光情報記録媒体上に微小なスポットを形成する光ピックアップ装置において、前記複数の発光点からの波長の異なるレーザ光を前記単一のコリメートレンズ及び前記グレーティング（若しくはホログラム）及び前記ミラーを介した後前記対物レンズに略垂直に入射させるように前記グレーティング（若しくはホログラム）のピッチ及び入射角度を設定し、前記グレーティング（若しくはホログラム）と前記コリメートレンズとの距離と、前記コリメートレンズと前記複数の発光点との距離を前記コリメートレンズの焦点距離とし、前記グレーティング（若しくはホログラム）による光の回折方向が、前記対物レンズから離れる方向であるものである。
【００１３】
【発明の実施の形態】
図１は本発明の参考例を示す。２波長対応集積ユニット１は、ＣＤ用のレーザ２とＤＶＤ用の短波長レーザ３及び図示しないホログラム、受光素子等から構成されている。ＣＤ用のレーザ２からの光束は、コリメートレンズ４で略平行光となり、グレーティング（若しくはホログラム）７により回折され、ミラー５により反射されて対物レンズ６により図示しない光情報記録媒体としてのＣＤに照射されてＣＤ上に微小なスポットが形成される。このＣＤからの反射光は、再び対物レンズ６、ミラー５、グレーティング（若しくはホログラム）７、コリメートレンズ４を経て２波長対応集積ユニット１内のホログラムにより０次光、＋１次光、−１次光に分岐されて受光素子の各受光部に入射し、信号処理系がその各受光部からの信号を処理して再生信号、トラッキングエラー信号、フォーカスエラー信号を検出する。このように、ＣＤはＣＤ用のレーザ２からの情報で変調された光束が照射されることにより情報が記録され、信号処理系が再生信号を検出してＣＤの記録情報を再生する。
【００１４】
一方、ＤＶＤ用の短波長レーザ３からの光束は、コリメートレンズ４により略平行光となり、グレーティング（若しくはホログラム）７により回折され、ミラー５により反射されて対物レンズ６により図示しないＤＶＤに照射される。このＤＶＤからの反射光は、再び対物レンズ６、ミラー５、グレーティング（若しくはホログラム）７、コリメートレンズ４を経て２波長対応集積ユニット１内のホログラムにより０次光、＋１次光、−１次光に分岐されて受光素子の各受光部に入射し、信号処理系がその各受光部からの信号を処理して再生信号、トラッキングエラー信号、フォーカスエラー信号を検出する。このように、ＤＶＤはＤＶＤ用の短波長レーザ３からの情報で変調された光束が照射されることにより情報が記録され、信号処理系が再生信号を検出してＤＶＤの記録情報を再生する。
【００１５】
ここで、例えばＣＤ用のレーザ２の波長を７８０ｎｍ、ＤＶＤ用の短波長レーザ３の波長を６５０ｎｍ、ＣＤ用のレーザ２とＤＶＤ用の短波長レーザ３の各発光点間の距離を０．５ｍｍ、コリメートレンズ４の焦点距離を１５ｍｍ、グレーティング（若しくはホログラム）７のピッチＰを５．４μｍとすると、ＣＤ用のレーザ２からの光束は、コリメートレンズ４に０°で入射し、グレーティング（若しくはホログラム）７に４５°で入射する。
【００１６】
光束がグレーティング（若しくはホログラム）７に入射する角度をα、グレーティング（若しくはホログラム）７の１次回折角をβ、光束の波長をλとすると、Ｐ（ＳＩＮα−ＳＩＮβ）＝λであるので、ＣＤ用のレーザ２からの光束はグレーティング（若しくはホログラム）７の出射角（一次回折角β）が３４．３°となる。
【００１７】
一方、ＤＶＤ用の短波長レーザ３からの光束は、コリメートレンズ４に１．９°で入射し、グレーティング（若しくはホログラム）７に４３．１°で入射する。ＤＶＤ用の短波長レーザ３からの光束のグレーティング（若しくはホログラム）７の出射角（一次回折角β）は、Ｐ（ＳＩＮα−ＳＩＮβ）＝λより３４．３°となり、ＣＤ用のレーザ２からの光束と同じになる。つまり、ミラー５の角度を適当に選ぶことによって、ＣＤ用のレーザ２からの光束とＤＶＤ用の短波長レーザ３からの光束の両方を対物レンズ６に垂直に入射させることが可能である。
【００１８】
また、図２に示す光ピックアップ装置では、２波長対応集積ユニット１に対して、ミラー５及び対物レンズ６の部分は例えばｄだけ上方にずれている。しかし、本参考例では、グレーティン（若しくはホログラム）７によって光束を下方にずらす（グレーティング若しくはホログラム７による光の回折方向を、対物レンズ６から離れる方向とする）ことが可能であり、ミラー５とグレーティング（若しくはホログラム）７との距離を適当に設定することによって、ミラー５及び対物レンズ６の部分をｄだけ下方にずらせて薄型化を図ることができる。
【００１９】
この参考例によれば、近接する複数の発光点からの波長の異なるレーザ光をコリメートレンズ４により略平行光とし、この略平行光により対物レンズ６を介して光情報記録媒体としてのＣＤ、ＤＶＤ上に微小なスポットを形成する光ピックアップ装置において、前記複数の発光点からの波長の異なるレーザ光を前記対物レンズ６に略垂直に入射させるグレーティング若しくはホログラム７を備えたので、各レーザからの光束の間の光軸の角度差によって発生する不具合（光が対物レンズに斜入することで生じる収差）を改善することができる。
【００２０】
また、この参考例によれば、前記グレーティング若しくはホログラム７は前記コリメートレンズ４と前記対物レンズ６との間に配したので、安価なグレーティング若しくはホログラムを用いることが可能である。
【００２１】
さらに、この参考例によれば、前記グレーティング若しくはホログラム７による光の回折方向が、前記対物レンズ６から離れる方向であるので、薄型の光ピックアップ装置を実現することが可能となる。
【００２２】
なお、この参考例では、グレーティング（若しくはホログラム）７をコリメートレンズ４とミラー５との間に配置したが、グレーティング（若しくはホログラム）７をコリメートレンズ４と２波長対応集積ユニット１との間に配置してもよい。
【００２３】
図３は本発明の一実施例を示す。図３において、レーザ光の強度中心は破線で示した。この実施例では、上記参考例おいて、コリメートレンズ４の焦点距離（コリメートレンズ４とＣＤ用のレーザ２、ＤＶＤ用の短波長レーザ３の発光点との距離）をｆとすると、グレーティング（若しくはホログラム）７とコリメートレンズ４との距離をｆとすることにより、ＣＤ用のレーザ２からの光束の強度中心とＤＶＤ用の短波長レーザ３からの光束の強度中心とを一致させたものである。
【００２４】
この実施例によれば、グレーティング若しくはホログラム７とコリメートレンズ４との距離と、コリメートレンズ４とＣＤ用のレーザ２、ＤＶＤ用の短波長レーザ３の発光点との距離を略同一としたので、光利用効率を改善することが可能である。
【００２５】
なお、本発明は、上記実施例に限定されるものではなく、光ディスク装置、光カード装置、光テープ装置などに用いられる光ピックアップ装置に適用することができる。
【００２６】
【発明の効果】
以上のように本発明によれば、各レーザからの光束の間の光軸の角度差によって発生する不具合を改善することができ、安価なグレーティング若しくはホログラムを用いることが可能となる。
また、本発明によれば、光利用効率を改善することが可能となり、薄型の光ピックアップ装置を実現することができる。
【図面の簡単な説明】
【図１】  本発明の参考例を示す概略図である。
【図２】  従来の光ピックアップ装置を示す概略図である。
【図３】  本発明の一実施例を示す概略図である。
【符号の説明】
１      ２波長対応集積ユニット
２      ＣＤ用のレーザ
３      ＤＶＤ用の短波長レーザ
４      コリメートレンズ
５      ミラー
６      対物レンズ
７      グレーティング（若しくはホログラム）
【図１】
0004584382.tif 000002
【図２】
0004584382.tif 000003
【図３】
0004584382.tif 000004